(57)【要約】【課題】  特別な装置や時間と手間をかけずに、容易に最適な信号注入箇所を見付けることのできるＰＬＣ装置を得る。【解決手段】  ＰＬＣ親装置１とＰＬＣモデム装置間の通信を中継するＰＬＣ中継装置２に、非通信時の受信信号レベルと通信時の受信信号レベルとの比較に基づき信号注入箇所の通信可能な速度を認識する通信速度認識機能１１と、この通信速度認識機能１１によって認識された通信可能な速度をこの速度に応じた数のＬＥＤを点灯することにより表示する通信速度外部表示機能１３と、この通信速度外部表示機能１３を制御する通信速度表示制御機能１２とを設け、ＰＬＣ中継装置２を電力線４に接続するための最適な信号注入箇所を見付けるようにした。【選択図】図２
2005151465.tif 000002
【特許請求の範囲】
【請求項１】
信号注入箇所で電力線に接続され、上記電力線を介してデータ通信するＰＬＣ装置において、上記信号注入箇所における上記データ通信の通信可能な速度を認識する通信速度認識手段、及びこの通信速度認識手段によって認識された上記通信可能な速度を表示する通信速度表示手段を備えたことを特徴とするＰＬＣ装置。
【請求項２】
上記通信速度認識手段は、非通信時の受信信号レベルと通信時の受信信号レベルとの比較に基づき上記通信可能な速度を認識することを特徴とする請求項１記載のＰＬＣ装置。
【請求項３】
上記通信速度表示手段は、複数の点灯部により構成され、上記通信可能な速度に応じた数の点灯部を点灯するようにしたことを特徴とする請求項１または請求項２記載のＰＬＣ装置。
【請求項４】
電力線を介して行われるデータ通信の信号注入箇所における通信可能な速度を認識する通信速度認識手段、及びこの通信速度認識手段によって認識された上記通信可能な速度を表示する通信速度表示手段を備えたことを特徴とするＰＬＣ専用測定器。
【発明の詳細な説明】
【技術分野】
【０００１】
この発明は、電力線を用いてデータ通信を行うＰＬＣ（パワーラインコミュニケーション）装置及び電力線を用いて行われるデータ通信の通信可能な速度を測定するＰＬＣ専用測定器に関するものである。
【背景技術】
【０００２】
従来の電力線を用いてデータ通信を行うＰＬＣ装置においては、操作部から入力された測定コマンドに従って、伝送特性の測定結果を表示させ、その値からＰＬＣ装置の設置が可能かどうかを判定していた。（例えば、特許文献１参照）
【０００３】
【特許文献１】特開平２−８２８２１号公報（第２〜４頁、図１）
【発明の開示】
【発明が解決しようとする課題】
【０００４】
ＰＬＣ装置においては、信号を配電線に注入する際、注入箇所により注入損失が異なり、通信速度や伝送距離に影響を及ぼすので、最適な注入箇所を見付けることが必要である。しかし、従来のＰＬＣ装置では、注入可能な箇所にＰＬＣ装置を実際に設置し、パソコンなどの操作部からコマンドを入力し、伝送特性や伝送速度の測定結果を確認することにより、最も伝送特性が良く、速い伝送速度が出る箇所を見付けていたため、コマンドを入力したり、結果を確認するための装置や、時間と手間を要するという問題があった。
【０００５】
この発明は、上述のような課題を解決するためになされたものであり、特別な装置や時間と手間をかけずに、容易に最適な信号注入箇所を見付けることのできるＰＬＣ装置を得ることを第一の目的とする。
また、特別な装置や時間と手間をかけずに、容易に最適な信号注入箇所を見付けることのできるＰＬＣ専用測定器を得ることを第二の目的とする。
【課題を解決するための手段】
【０００６】
この発明に係わるＰＬＣ装置においては、信号注入箇所で電力線に接続され、電力線を介してデータ通信するＰＬＣ装置において、信号注入箇所におけるデータ通信の通信可能な速度を認識する通信速度認識手段、及びこの通信速度認識手段によって認識された通信可能な速度を表示する通信速度表示手段を備えたものである。
また、この発明のＰＬＣ専用測定器においては、電力線を介して行われるデータ通信の信号注入箇所における通信可能な速度を認識する通信速度認識手段、及びこの通信速度認識手段によって認識された通信可能な速度を表示する通信速度表示手段を備えたものである。
【発明の効果】
【０００７】
この発明は、以上説明したように構成されているので、以下に示すような効果を奏する。
信号注入箇所で電力線に接続され、電力線を介してデータ通信するＰＬＣ装置において、信号注入箇所におけるデータ通信の通信可能な速度を認識する通信速度認識手段、及びこの通信速度認識手段によって認識された通信可能な速度を表示する通信速度表示手段を備えたので、最適な信号注入箇所を容易に見付けることができる。
また、電力線を介して行われるデータ通信の信号注入箇所における通信可能な速度を認識する通信速度認識手段、及びこの通信速度認識手段によって認識された通信可能な速度を表示する通信速度表示手段を備えたので、最適な信号注入箇所を容易に見付けることができる。
【発明を実施するための最良の形態】
【０００８】
実施の形態１．
以下、この発明の実施の形態１について説明する。
図１は、この発明の実施の形態１によるＰＬＣ装置の接続を示す接続図である。
図１において、ＰＬＣ親装置１（ＰＬＣ装置）は、信号注入箇所５から電力線４に接続され、ＰＬＣ中継装置２（ＰＬＣ装置）と通信を行う。ＰＬＣ中継装置２は、信号注入箇所６から電力線４に接続され、ＰＬＣ親装置１と通信を行うと同時に、信号注入箇所７から電力線４に接続され、ＰＬＣモデム装置３（ＰＬＣ装置）と通信を行う。ＰＬＣモデム装置３は、宅内電源コンセント８から電力線４に接続され、ＰＬＣ中継装置２と通信を行う。宅内には、宅内電源コンセント９、１０が設けられている。
【０００９】
図２は、この発明の実施の形態１によるＰＬＣ中継装置を示すブロック図である。
図２において、１、２、４〜６は図１におけるものと同一のものである。ＰＬＣ中継装置２は、非通信時の受信信号レベルと通信時の受信信号レベルとの比較に基づき通信可能な速度を認識する通信速度認識機能１１（通信速度認識手段）と、例えば５つのＬＥＤ（点灯部）を備え、通信速度認識機能１１により認識された通信可能な速度を外部から見えるように表示する通信速度外部表示機能１３（通信速度表示手段）と、この通信速度外部表示機能１３を制御する通信速度表示制御機能１２とを有している。
【００１０】
次に、図２にしたがって、ＰＬＣ中継装置における通信速度表示方法を説明する。
ＰＬＣ親装置１からＰＬＣ中継装置２へは定期的に信号が送られてくるので、ＰＬＣ中継装置２内の通信速度認識機能１１で、非通信時の受信信号レベルと通信時の受信信号レベルとの比較に基づき、通信可能な速度を認識する。ＰＬＣ中継装置２に設けられた通信速度外部表示機能１３は、通信速度表示制御機能１２により制御され、その表示によって通信速度認識機能１１により認識された通信可能な速度が外部から判定できるようになっている。この通信速度外部表示機能１３は、例えば５つのＬＥＤを備え、最大の通信可能な速度が得られる場合にＬＥＤを５つ共点灯、通信可能な速度が０の場合はＬＥＤを５つ共消灯、速度に対応した数のＬＥＤを点灯するなどして、コマンドを入力したり、結果を確認するための特別な装置を使用することなく、短時間で容易にどの程度の速度で通信が可能かを確認することができる。
また、信号注入可能な複数箇所に信号を注入し、それぞれの場所での通信可能な速度を通信速度外部表示機能１３を確認することにより認識できるので、最適な信号注入箇所を容易に見付けることができる。
【００１１】
実施の形態１によれば、ＰＬＣ中継装置の通信可能な速度を外部表示するので、最適な信号注入箇所を容易に見付けることができる。
【００１２】
実施の形態２．
図３は、この発明の実施の形態２によるＰＬＣ中継装置を示すブロック図である。
図３において、２〜４、７、８は図１におけるものと同一のものである。ＰＬＣモデム装置３は、非通信時の受信信号レベルと通信時の受信信号レベルとの比較に基づき、通信可能な速度を認識する通信速度認識機能１４と、例えば５つのＬＥＤを備えた通信速度外部表示機能１６と、この通信速度外部表示機能１６を制御する通信速度表示制御機能１５とを有している。
【００１３】
実施の形態１では、ＰＬＣ中継装置２に通信速度認識機能１１、通信速度表示制御機能１２及び通信速度外部表示機能１３を設けることにより、通信可能な速度を容易に認識でき、最適な信号注入箇所を容易に見付ける場合について述べたが、実施の形態２は、同時に、図３に示すように、ＰＬＣモデム装置３に通信速度認識機能１４、通信速度表示制御機能１５及び通信速度外部表示機能１６を設けることにより、ＰＬＣモデム装置３でも通信可能な速度を容易に認識でき、宅内コンセント８〜１０の中でＰＬＣモデム装置３を接続する最適な箇所を容易に見付けることができる。
【００１４】
実施の形態２によれば、ＰＬＣモデム装置の通信可能な速度を外部表示するので、最適な信号注入箇所を容易に見付けることができる。
【００１５】
実施の形態３．
実施の形態１では、ＰＬＣ中継装置２に通信速度認識機能１１、通信速度表示制御機能１２及び通信速度外部表示機能１３を設けることにより、通信可能な速度を容易に認識でき、最適な信号注入箇所を容易に見付ける場合について述べたが、実施の形態３は、ＰＬＣ中継機能は備えず、通信速度認識機能１１、通信速度表示制御機能１２及び通信速度外部表示機能１３のみを設けたＰＬＣ専用測定器とすることにより、小型で持ち運び容易な機器で最適な信号注入箇所を容易に見付けることができるようにしている。
【００１６】
実施の形態３によれば、ＰＬＣ中継機能は設けず、通信可能な速度を外部表示する機能のみを設けた、小型で持ち運び容易なＰＬＣ専用測定器により、最適な信号注入箇所を容易に見付けることができる。
【図面の簡単な説明】
【００１７】
【図１】この発明の実施の形態１によるＰＬＣ装置の接続を示す接続図である。
【図２】この発明の実施の形態１によるＰＬＣ中継装置を示すブロック図である。
【図３】この発明の実施の形態２によるＰＬＣ中継装置を示すブロック図である。
【符号の説明】
【００１８】
１  ＰＬＣ親装置
２  ＰＬＣ中継装置
３  ＰＬＣモデム装置
４  電力線
５，６，７  信号注入箇所
８，９，１０  宅内電源コンセント
１１  通信速度認識機能
１２  通信速度表示制御機能
１３  通信速度外部表示機能
１４  通信速度認識機能
１５  通信速度表示制御機能
１６  通信速度外部表示機能
【図１】
2005151465.tif 000003
【図２】
2005151465.tif 000004
【図３】
2005151465.tif 000005